(57)【特許請求の範囲】
【請求項１】
穴が形成された本体と、
本体の穴の一部に回転可能にかつ１°ずつ自由に回転できるように嵌合して保持され、かつ全長の少なくとも一部に雌ねじを有するハンドルと、
少なくともその全長の一部にハンドルの雌ねじと適合する雄ねじを有する略円筒形状の部品と、
本体に、ハンドルの回転軸に対して略垂直方向に取り付けられるとともに本体の穴の中で開口する管状部材と、
管状部材に取り付けられたピンを中心にして傾斜可能なレバーとを備え、
レバーが１°ずつ自由に回転でき、ねじ付き略円筒状部品は、レバーの一端に関節結合されているとともに他端にはカッターが関節結合されており、カッターは管状部材から内部の窓のような開口を通って突出しており、ハンドルを所定の方向に回転させるとカッターが管状部材から突出する方向に移動し、ハンドルを所定の方向と反対側に回転させるとカッターが管状部材に引っ込む方向に移動するようになされていることを特徴とする、
損傷したねじ山を修理するための工具。
【請求項２】
本体の穴の一端を閉鎖する蓋板を有することを特徴とする、請求項１に記載の工具。
【請求項３】
蓋板に取り付けた第２のハンドルを有することを特徴とする、請求項１に記載の工具。
【請求項４】
管状部材が、略長方形断面を有することを特徴とする、請求項１に記載の工具。
【請求項５】
略長方形断面の少なくとも二つの隣接する角部が丸めてあることを特徴とする、請求項４に記載の工具。
【請求項６】
レバーの断面が楕円形であり、かつ楕円の長径が、管状部材の二つの対向する内壁に対してピンを中心にしてレバーの傾斜可能とする方向に摺動可能に嵌合されていることを特徴とする、請求項１に記載の工具。
【請求項７】
少なくとも二つの略平坦な対向面を有する棒と、
棒に固定可能であるとともに棒に対して略垂直方向に伸びる第１のアームと、
第１のアームと協働するとともに棒の二つの平坦な対向する面によって誘導されつつ棒に沿って摺動可能な第２のアームと、
第２のアームを棒に沿って移動した任意の位置で固定するための固定手段と、
第２のアームの自由端に関節結合された少なくとも一つのカッターとを備えていることを特徴とする、
損傷した雌ねじを修理するための工具。
【請求項８】
固定手段が、第２のアームを棒に対して略垂直な位置に付勢することを特徴とする、請求項７に記載の工具。
【請求項９】
固定手段がつまみであることを特徴とする、請求項７に記載の工具。
【請求項１０】
第１のアームが略長方形の断面であり、その少なくとも二つの角部が丸めてあることを特徴とする、請求項７に記載の工具。
【請求項１１】
第１のアームに取り付け可能なローラ手段を備えていることを特徴とする、請求項７に記載の工具。
【請求項１２】
ローラ手段が第１のアームに取り付け可能なホルダ上に設けられていることを特徴とする、請求項１１に記載の工具。
【請求項１３】
工具が二つ以上の代替ホルダを備えており、それぞれに１対のローラが設けられており、二つ以上のホルダそれぞれにおける各対のローラの中心間の距離が、異なることを特徴とする、請求項７および１２に記載の工具。
【請求項１４】
第２のアームの自由端に関節結合されたカッターホルダに取り付けられた二つのカッターを有することを特徴とする、請求項７に記載の工具。
【発明の詳細な説明】
【０００１】
【産業上の利用分野】
本発明は損傷した雌ねじを修理するための工具に関する。なお、本明細書において円筒とは中実、中空を問わないものとする。また、関節結合とは、互いにピンで連結されピンを軸として互いに揺動あるいは回転可能に連結されて関節のように動くことを意味するものとする。
【０００２】
【従来の技術】
雌ねじは、雄ねじと比較すると機械的な損傷からは保護されているが、ピッチが適合しない、あるいは位置がずれた状態の雄部品を無理やり導入することなどにより、詰まって損傷することがある。また、スケール、さび、または他の被覆などを取除く必要もでてくる。
【０００３】
【発明が解決しようとする課題】
本発明の目的は、効果的であるとともに安価で操作が容易な雌ねじを修理するための工具を提供することにある。
【０００４】
【課題を解決するための手段】
本発明によると、上記の目的は、
穴が形成された本体と、本体の穴の一部に回転可能にかつ１°ずつ自由に回転できるように嵌合して保持され、かつ全長の少なくとも一部に雌ねじを有するハンドルと、少なくともその全長の一部にハンドルの雌ねじと適合する雄ねじを有する略円筒形状の部品と、本体に、ハンドルの回転軸に対して実質的に垂直な方向に取り付けられるとともに本体の穴の中で開口する管状部材と、管状部材に取り付けられたピンを中心にして傾斜可能なレバーとを備え、レバーが１°ずつ自由に回転でき、ねじ付き略円筒状部品は、レバーの一端に関節結合されているとともに他端にはカッターが関節結合されており、カッターは管状部材から内部の窓のような開口を通って突出しており、ハンドルを所定の方向に回転させるとカッターが管状部材から突出する方向に移動し、ハンドルを所定の方向と反対側に回転させるとカッターが管状部材に引っ込む方向に移動するようになされていることを特徴とする工具によって達成することができる。
【０００５】
本発明は、さらに、少なくとも二つの実質的に平坦な対向する面を有する棒と、棒に堅固に固定可能であるとともに実質的に垂直な方向に延在する第１のアームと、第１のアームと実質的に共平面であるとともに棒の二つの平坦な対向する面によって誘導されつつ棒に沿って摺動可能な第２のアームと、第２のアームを棒に沿った任意の位置で固定するための手段と；第２のアームの自由端に関節結合された少なくとも一つのカッターとを備えた、損傷した雌ねじを修理するための工具を提供することを目的とする。
【０００６】
【発明の実施の形態】
図面に基づいて説明する。図１は、本発明による工具の第１の実施形態の断面図である。本体２は、有利なことに円筒形であり、段付き穴４が形成されている。穴４の広い方の端部には、ハンドル６が嵌合されている。ハンドル６は、肩部８に当接して保持リング１０によって穴４の中に保持されている。ハンドル６は、有利に刻み目が付いており、本体２に対して１°ずつ自由に回転する。ハンドル６の本体側端部には、ねじ山付きロッド１２（円筒状部品）の雄ねじと係合する雌ねじが設けられている。ねじ山つきロッド１２は、ピン１４によって、本体２に堅固に取り付けた管状部材１８の内部に沿って延在するレバー１６に関節結合されている。有利なことに、管状部材１８は、図３に示すように角が丸くなっている。
【０００７】
図２は、図１の矢印Ａの方向から見たレバー１６を表している。レバー１６は、上端に溝穴２０を有し、その中にロッド１２の端部が勘合している。図示の如く、ピン１４によってロッドがレバー１６に関節結合されている。溝穴２０の深さは、ロッド１２がピン１４を中心として数度傾斜できるだけの深さである。
【０００８】
レバー１６の下端に示す溝穴２２には、後に詳しく説明するカッター２８が収容されており、カッター２８は、ピン３０によってレバー１６に関節結合されている。カッター２８は、管状部材１８の下端部の開口３２を介して管状部材１８から突出している。
【０００９】
レバー１６は、これの高さのほぼ中央部の穴３６を貫通して管状部材１６の二つの対向する壁に固定されたピン３４を中心として傾斜するように構成されている（図４参照）。レバー１６の下端は、可能な傾斜角度が大きくなるように僅かに細くなっている。
【００１０】
レバー１６の断面形状は、図１の矢印Ｂの方向から見たところを表した図３にわかりやすく示されている。レバー１６の形状は楕円であり、楕円の主軸は管状部材の二つの対向する内壁に対して摺動可能に嵌合されている。
【００１１】
さらに図１および４に示すのは、本体２の穴４を閉鎖する蓋板３８と、工具の操作中にトルクをかけることができる第２のハンドル４０である。
【００１２】
図５〜７はカッターを示している。図５は上面図であり、この図において、カッター２８は二つの切断面４２を有している。すなわち、カッター２８は装置が時計回りおよび反時計回りのいずれに回転しても作動する。これにより、左ねじだけでなく、多くの場合、損傷がねじの最初の数回転に影響し、ねじ山つき穴の内側から外側に向かう場合以外は非常に修理がしにくい右ねじの修理もしやすい。
【００１３】
図５には、二つの半径Ｒ１とＲ２が示してあり、Ｒ１は工具を使用できる最も小さいねじ径の半径であり、Ｒ２は、エッジ４４の半径である。図示の如く、Ｒ１はＲ２より大きく、よって、カッター２８の先がねじの谷底に到達できないため、カッター２８は、ねじの谷底を掘り下げることは決してない。ねじ山の損傷は、谷底より、山の部分もしくはその近傍で起こるため、この機能が工具の損傷修理効果に影響することもなく、ねじの谷底を掘り下げることによる詰まりも避けることができる。
【００１４】
カッターの縁部４４に関連する“半径Ｒ２”という用語を使用することにより、縁部４４が円の一部であるように表現しているが、実際は、上記の条件に適合するいかなる曲線の一部でもよい。
【００１５】
図７にはピン３０が示されており、カッター２８が雌ねじのリード角に適合するのに必要なだけピン３０を中心として旋回可能となっている。
【００１６】
本実施形態の装置の動作は非常に単純である。レバー１６に関節結合されているねじ山つきロッド１２は回転できない。また、リング１０によって保持されているハンドル６は、平行移動できない。このため、ハンドル６の回転により、ロッド１２が直線移動する。ロッド１２のねじ山が右ねじであると仮定すると、ハンドルの時計回りの回転により、ロッド１２が左に移動し、ロッド１２が関節結合しているレバー１６は、ピン３４の回りを反時計回りに回転し、よってカッター２８が管状部材１８の外側に押し出される。逆に、ハンドル６を反時計回りに回転させることにより、カッターが管状部材６内に向かって引っ込む。
【００１７】
操作中、ハンドル６を反時計回りに回転することによって、カッター２８が引込み、カッター２８がねじ山つき部品の内面に接触することなく修理工具をねじ山つき部品内に導入することができるようになる。次に、カッター２８の縁部４４がねじ山の二つの斜面の間に入るまでハンドル６を時計回りに回転させる。図３にわかりやすく示すように、管状部材１８におけるカッター２８と逆側の丸みの付いた角部の二つがカッター２８とねじ山におけるカッター２８と逆側の部分に対して押し付けられる。この後、工具をその二つのハンドル６および４０で把持し、損傷部分の位置や程度により、いずれかの方向に回転させる。
【００１８】
本発明の他の実施形態を図８〜１２に示す。図８には、把持しやすいように把持円板４７が設けられている断面が長方形の棒であるハンドル４６が示されている。ねじ４８でハンドル４６に堅固に取り付けられているのは、第１のアームであり、その下部５２は、修理する雌ねじに接触させられる部分である。第１アームの下部５２は、実質的に長方形の断面を有し、図９に示すようにその二つの角部は丸められている。また、図９は第１のアームの下部５２が雌ねじの二つの線ａ，ｂのみに沿って接触しているところを表している。
【００１９】
さらに、第２のアーム５４は、ハンドル４６に沿って摺動可能である。第２アーム５４は、図１０の断面図に示す、アーム５４の上部６０（図１０）の長方形の通路５８にぴったりと嵌合する逆Ｕ字型のインサート５６により、ハンドル４６の二つの広域面４９，４９’によって誘導される。インサート５６のウェブ６４に凹部６６が設けられており、かつインサート５６の高さは通路５８の高さより小さい。そしてインサート５６が、ピン６２によってアームの上部６０に関節結合されて、ピン６２を中心として数度傾斜することができようになされている。この傾斜性は、図１１、１２、１３に関連して説明するように、ピン６２とハンドル４６の下表面との間の初期間隙ｃと同様に第２のアーム５４の機能として重要である。なお、つまみ６７も図示されている
前の実施形態において説明したタイプのカッター６８は、第２のアーム５４の下部７０の端部に関節結合してある。ここでも、カッター６８とカッター６８が入れられている孔との間に十分な間隙が設けてあるため、カッター６８がピン７２を軸として回転するのでカッター６８が雌ねじのリード角に適合することができる。
【００２０】
工具を使用するための準備工程を図１１〜１３に示す。つまみ６７を上げると（図１１）、アーム５４は、アーム５０のすぐ近くまで摺動して工具をねじ山つき穴に導入することができるようになる。一度穴に入ると（図１２）、アーム５４は、図１２に誇張して示しているように、カッター６８がねじ山と接触した点を超えてアーム５４が僅かに傾くまで右に引っ張られる。次に（図１３）、つまみ６７を回して下げると、アーム５４がピン６２を支点として回転し、よってアーム５４はカッター６８の切削動作中にカッター６８をねじ山間に維持するのに必要な圧力をかける。ねじ山の修復は、工具がハンドル４６の力を借りて回転したときに始まる。
【００２１】
さらに他の実施形態の詳細を図１４から１７に示す。この実施形態では、図１４、１５に示すように、ピン７６回りに回転可能であるホルダー７９が、ねじ８０によってアーム５０に固定されている。このホルダ７８に１対のローラ７４が取り付けられている。ローラ７４は、ねじ山のリード角と二つのカッター６８の使用を考慮して、ねじ山に適合する形状であり、その相対的位置を調整できるピン７６に沿って一定量の遊びを有する。ローラ７４は、図８の実施形態のアームによって起きる摩擦を大幅に減じることができる。
【００２２】
図１６は、ホルダ７８とローラ７４を図１４の矢印Ｂの方向から見た図を示したものである。直径が大きい雌ねじに関しては、図１６(b)に示すようなローラ７４の中心間の距離が図１６(a)に示すものより大きいローラホルダを使用するのがよい。これにより、使用中の工具の安定性が増す。
【００２３】
上記のように一定量の遊びを有するローラ７４の“浮動”特性により、図１４および１７に示すような上下に並んだ二つのカッター６８を使用しやすくなる。カッター６８は、図１の実施形態のカッター２８と同形でありピン８４によってカッターホルダー８２に自由に関節結合されている。また、カッターホルダー８２は、ピン８６によって第２のアーム５４の下部７０に関節結合されている。この構成により、それぞれのカッター６８にかかる圧力が等しくなり、また、ピン８４を中心としてカッター６８が自由に揺動することにより、カッター６８の縁部８８間の距離が常にねじ山ピッチの倍数となる。この実施形態の使用法は、図８の実施形態の使用法と同様である。
【００２４】
図１４の第２のアーム５４の上部は、構造および機能において、図８のそれと同一である。図１４の実施形態は、ローラ７４と共にカッターを一つにしても使用することができるが、この場合のカッターの配置は図８と同様である。
【００２５】
図１８は、本発明による工具のさらに他の実施形態を表す。このバイトは、実質的に断面Ｕ字型のハウジング９０を有しており、図１９を見ればその利点がわかる。ＷＰは、作業片、すなわち修復される雌ねじを有する部材を意味する。このハウジングの中には、ビーム９２が位置し、その上端はロッド９４でハウジング９０に関節結合されている。ロッド９４は、ハウジング９０の両側から突出し、ハンドルとしても機能し、ロッド９４によって工具を回転させることができる。
【００２６】
ビーム９２の下側端部には、図２０の拡大図に示すように円筒形のカッター９６が設けられており、その一端部は、前述の実施形態のような切刃が形成され、他端部は、段が付いて他部に比して径が小さくなっている。図２０に最もよく示されているように他端部は、ビーム９２の穴９８に間隙をあけて差し込まれている。穴９８は、上下に長い断面（図２１）を有するものであり、穴９８より大きい穴１００の端部を形成するものである。穴１００の幅はカッター９６の直径に相当し、高さは、カッター９６の直径より僅かに大きく、カッター９６が図面の紙面内で傾斜、すなわち上下に傾斜できるが紙面に垂直な内で傾斜、すなわち左右に傾斜できないようになされている。さらに、小径の穴１０２が示されているが、穴１０２には間隙を伴ってある程度の深さまでねじ１０４の先が挿入されている。ねじ１０４は、締めたり挟持したりするのが目的ではなく、単にカッター９６が穴１００，９８から抜け出ないようにするためのものである。
【００２７】
再び、図１８および１９を参照する。両図には、鋼製の薄板ばね状をなすレバー１０６が示されており、その上端はＵ字型ハウジング９０のウイング９０ａに形成された突出部１０８にリベットで止められている。レバー１０６の下端部には穴１１０が設けられており（図２０）、そこをカッター９６が通る。もう一つの穴１１２がレバー１０６の長さのほぼ中央に設けられている。この穴１１２をつまみ１１４のねじ山付き軸１１３が貫通しており、この軸１１３は、ビーム９２のねじ山付き穴に適合している。１１３軸のねじ山が右ねじであると仮定すると、つまみ１１４を時計回りに回転させることにより、ビーム９２は、その支点となるロッド９４を中心として時計回りに旋回する。
【００２８】
薄板ばね状レバー１０６の役目の一つは、軸１１３がハウジング９０の内部と永久的に接触しつづけるよう、常時ビーム９２を押してビーム９２に対して圧力をかけることにある。また、もう一つの非常に重要な役目は、装置の動作に関することである。すなわち薄板ばね状レバー１０６は、図１８に太い一点鎖線で示すａ−ｂ−ｃ−ｄの４辺により形成される四辺形の一つの辺ａを構成している。ここでａ＝ｃ，ｂ＝ｄであるため、この四辺形は、平行四辺形となり、薄板ばね状レバー１０６の屈曲点ｐから軸ピン９４の中心までのびる辺ｂは水平となるようになされている。また、辺ｂは変化しない、すなわち固定されている。このためカッター９６の中心を通る辺ｄもビーム９２の旋回角度に関係なく水平となる。これは、修復できる範囲、すなわち使用できる範囲内で最も小さい直径のねじ用に設定された装置の状態を表す図１８と、使用できる範囲の中間および上限における装置の状態を表す図２２および２３とを比較すると明らかである。どの位置においても、カッター９６は水平状体を保つ。
【００２９】
辺ａを構成する薄板ばね状レバー１０６は、図１８に示す突出部１０８のすぐ下の点ｐ、すなわちロッド９４の軸心と同じ高さでばねを曲げることによって実現することが理解できよう。
【００３０】
図１９は、ハウジング９０の形状を示しており、ハウジング９０の湾曲部が修理部分に対向するねじ山部に押し付けられている。図２３に明確に示されているように、装置がある程度の深さまで届くように、装置の作用部分（下から約三分の一）に沿ってハウジング９０のウィング９０ａの一部が切り取られている。
【００３１】
図１８の装置の拡張性は所定の幅（すなわち、修理可能な雌ねじの最小直径と最大直径の差）であるが、図２３で例示したような上限は、図２５から２８に示すように、ハウジング９０の丸めた後部に取り付け可能な拡張具によって上げることができる。拡張具は、スペーサ１１８とトラフ状部材１１６とを備えている。トラフ状部材１１６は比較的短く、スペーサ１１８にはんだ付けまたはろう付けされている。スペーサ１１８は、ねじ１２０によってハウジング９０の後部に固定されている。スペーサ１１８は二本の位置合わせ用ピン（図示せず）でハウジング９０の後部に固定するのが好ましい。
【００３２】
さらに他の実施形態を図２９から３２に示す。この実施形態は、上記の上限をかなり拡張できる拡張具を備えている。この工具においては、Ｕ字型のハウジング１２６の二つのウィング１２６ａ間に伸びる２本の軸ピン１２２，１２４によって一つの水平状に固定された辺が形成されている。この辺と対向する辺は、二つの軸ピン１２８、１３０により構成される。これらピン１２８，１２９が貫通したブロック１３２が平行四辺形の一方の長辺を構成するレバー１３４に関節結合されている。レバー１３４により構成される長辺に対向する第２の長辺は、軸ピン１２２によってハウジング１２６に、また、軸ピン１２８によってブロック１３２に関節結合された二本のレバー１３６によって構成される。レバー１３６はレバー１３４より細い。カッター１３８は、ブロック１３２の穴１４０に円滑に嵌合されている。カッター１３８の中の穴を貫通する軸ピン１２８によって、カッターが修理するねじ山のリード角に適合できるだけの間隙をあけて穴１４０の中に取り付けられている。ハウジング１２６には、ハンドル１４４を取り付け可能なヘッドピース１４２を設けてある。
【００３３】
図２９は、工具を使用可能な最小直径のねじ山に合わせて設定した装置の様子を表している。直径が大きい場合には、レバー１３４，１３６は、図３２に示すように、必要な角度だけ旋回する。これは、ボルト１４６（図３０も参照のこと）によって実現することができる。ボルト１４６の平坦な端部１４８は軸ピン１５０によってレバー１３４に関節結合されている。ボルト１４６の他端は、ハウジング１２６に関節結合した横材１５２を貫通しており、横材１５２に関節結合した刻み目付きナット１５４を１°ずつ自由に回転させることができるように係合している。ナット１５４を時計回りに回転させると、右ねじを有し、軸ピン１５０により回転ができないボルト１５４は、ナット１５４の中に入り、レバー１３６，１３４が図３２に示すように左に旋回する。
【００３４】
図３２は、図２９の装置を、使用可能な範囲を広げるための拡張具とともに示したものである。拡張具は、ハンドル１４４にペグまたはボルト（図示せず）を伴う穴１５８によって決定される位置にハウジング１２６から離れて取り付け可能なアーム１５６を備えている。さらに、アーム１５６には、トラフ状部材１６０が堅固に取り付けられているが、これは、修理箇所に対向するねじ山に当接してねじ山にかかる圧力を減じる圧力パッドとして働く。
【００３５】
図３３および３４は改良された圧力パッドとして働くトラフ状部材１６２を示している。この部材１６２は、硬化および強化鋼等の薄板からなる上下に長い、弾性変形可能な非常に浅いトラフ状をなしている。そして、好ましくはＵ字型の図３０に示すハウジング１２６または図１９に示すハウジング９０にリベット止めされている。このトラフ状部材１６２を雌ねじの曲面にほぼ適合させて作業の際に生じる力がねじ山における広い範囲にかかるようにすることで雌ねじの変形を防ぐことができる。
【００３６】
本発明はこれまで詳細に例示した実施形態によって制限されるものではなく、本発明は、その本質的な特性から離れること無しに他の形状で実施することも可能である。よって本実施形態は、説明のためであり、制限するためのものでは決してなく、本発明の範囲は、前述の説明ではなく、添付の請求の範囲によってのみ限定され、本発明は請求の範囲内においては、あらゆる変更が可能である。
【００３７】
また、実施形態は、図面を用いて詳しく説明しているが、この図面は、あくまでも例示のためのものであり、本発明の好ましい実施形態を説明するための手段に過ぎず、本発明の原理と概念的局面を説明するために最も有効で最も理解しやすいと信じた上で示したものである。この点から、本発明を基本的に理解するのに必要とされる以上の説明はしていない。図面に基づく説明により、本発明を実際に本発明をどのように具体的に実施するかについては、当業者によって明らかである。
【図面の簡単な説明】
【図１】本発明における第１の実施形態の工具の断面図である。
【図２】同工具のレバーを図１中の矢印Ａの方向から見た部分断面図である。
【図３】同工具を図１の矢印Ｂの方向から見た図である。
【図４】同工具の一部の斜視図である。
【図５】同工具のカッターの上面図である。
【図６】同カッターの側面図である。
【図７】同カッターの斜視図である。
【図８】本発明の他の実施形態の工具の一部断面図である。
【図９】同工具を図８中の矢印Ａの方向から見た図である。
【図１０】図８中のＸ−Ｘ線に沿う断面図である。
【図１１】同工具の使用の手順を表した図である。
【図１２】同工具の使用の手順を表した図である。
【図１３】同工具の使用の手順を表した図である。
【図１４】図８に示した工具の一部を変形した本発明の１実施形態の一部断面図である。
【図１５】同工具を図１４中の矢印Ａの方向から見た図である。
【図１６】  (a)は、同工具のローラホルダを図１４中の矢印Ｂの方向から見た図であり、(b)は、対をなすローラの中心間の距離が大きいもう一つのローラホルダを示す図である。
【図１７】同工具のカッターホルダを図１４中の矢印Ｃの方向から見た図である。
【図１８】本発明による工具のさらに他の実施形態を示す断面図である。
【図１９】図１８中のＸＩＸ−ＸＩＸ線に沿う断面図である。
【図２０】図１８の下部の拡大図である。
【図２１】図２０の工具の拡大部分におけるＸＸＩ−ＸＸＩ線に沿う断面図である。
【図２２】図１８に示す工具の下側部分の中間位置にある状態を示す図である。
【図２３】図１８に示す工具の上限位置にある状態を示す図である。
【図２４】図２３に示す工具の、ＸＸＩＶ−ＸＸＩＶ線に沿う断面図である。
【図２５】工具が使用できる上限を上げるための拡張具を含む図１８の工具の断面図である。
【図２６】図２５に示す工具のＸＸＶＩ−ＸＸＶＩ線に沿う断面図である。
【図２７】図２５の工具が使用できる範囲の上限にあるところを示す図である。
【図２８】図２７に示す工具のＸＸＶＩＩＩ−ＸＸＶＩＩＩ線に沿う断面図である。
【図２９】本発明による工具のもう一つの実施形態を表した図である。
【図３０】図２９の工具のＸＸＸ−ＸＸＸ線に沿う断面図である。
【図３１】図２９の工具のＸＸＸＩ−ＸＸＸＩ線に沿う断面図である。
【図３２】拡張位置にあり、工具の使用できる範囲の上限を上げるための拡張具を含む、図２９の工具を表した図である。
【図３３】図３０または１９に示した工具に使用するための圧力パッドを、下限位置において使用する場合を示した図である。
【図３４】図３０または１９に示した工具に使用するための圧力パッドを、上限位置において使用する場合を示した図である。
【符号の説明】
２      本体
４      穴
６      ハンドル
１６    レバー
１８    管状部材
２８    カッター
３２    窓のような開口
３４    ピン
３８    蓋板
４０    ハンドル
４６    ハンドル
５０    アーム
５４    アーム
６８    カッター
７４    ローラ
７６    ピン
７８    ホルダ
８２    カッターホルダー
９０    Ｕ字型ハウジング
９２    ビーム
９６    カッター
１０６  レバー
１１８  スペーサ
１２６  ハウジング
１３４  レバー
１３６  レバー
１３８  カッター
１４４  ハンドル
１５６  アーム
１６２  トラフ状部材
【図１】
0004806842.tif 000002
【図２】
0004806842.tif 000003
【図３】
0004806842.tif 000004
【図４】
0004806842.tif 000005
【図５】
0004806842.tif 000006
【図６】
0004806842.tif 000007
【図７】
0004806842.tif 000008
【図８】
0004806842.tif 000009
【図９】
0004806842.tif 000010
【図１０】
0004806842.tif 000011
【図１１】
0004806842.tif 000012
【図１２】
0004806842.tif 000013
【図１３】
0004806842.tif 000014
【図１４】
0004806842.tif 000015
【図１５】
0004806842.tif 000016
【図１６】
0004806842.tif 000017
【図１７】
0004806842.tif 000018
【図１８】
0004806842.tif 000019
【図１９】
0004806842.tif 000020
【図２０】
0004806842.tif 000021
【図２１】
0004806842.tif 000022
【図２２】
0004806842.tif 000023
【図２３】
0004806842.tif 000024
【図２４】
0004806842.tif 000025
【図２５】
0004806842.tif 000026
【図２６】
0004806842.tif 000027
【図２７】
0004806842.tif 000028
【図２８】
0004806842.tif 000029
【図２９】
0004806842.tif 000030
【図３０】
0004806842.tif 000031
【図３１】
0004806842.tif 000032
【図３２】
0004806842.tif 000033
【図３３】
0004806842.tif 000034
【図３４】
0004806842.tif 000035